(57)【要約】本発明は、基板と、この基板上に設けられた複数の別個のガルバニー対とを備える皮膚治療デバイスであって、各別個のガルバニー対は、アノードである第１の導電性電極と、カソードである第２の導電性電極とを備え、各ガルバニー対のアノードは、第１の金属を含み、各別個のガルバニー対のカソードは、第１の金属とは異なる第２の金属を含み、第１の金属および第２の金属は、異なる標準電位を有する、皮膚治療デバイスに関する。
2019517379.tif 000002
【特許請求の範囲】
【請求項１】
基板（１１、３１）と、前記基板（１１、３１、６０）上に設けられた複数の別個のガルバニー対（２１、２２）とを備える皮膚治療デバイス（１０、３０）であって、各別個のガルバニー対（２１、２２）は、アノード（２１）である第１の導電性電極と、カソード（２２）である第２の導電性電極とを備え、各ガルバニー対（２１、２２）の前記アノード（２１）は、第１の金属を含み、各別個のガルバニー対（２１、２２）の前記カソード（２２）は、前記第１の金属とは異なる第２の金属を含み、前記第１の金属および第２の金属は、異なる標準電位を有する、皮膚治療デバイスにおいて、少なくとも１つの別個のガルバニー対（２１、２２）は、前記基板に連結された底部層であって、前記第２の金属を含む底部層と、前記底部層に連結された上部層であって、前記第１の金属を含む、上部層との組立体を有するアノード（２１）を備えることを特徴とする皮膚治療デバイス。
【請求項２】
前記上部層は、前記底部層の表面積より大きい表面積を有して前記底部層を完全に覆い、取り囲む請求項１に記載の皮膚治療デバイス（１０、３０）。
【請求項３】
前記第１の金属は、亜鉛を含み、前記第２の金属は、ハロゲン化銀を含む請求項１または２に記載の皮膚治療デバイス（１０、３０）。
【請求項４】
前記第２の金属は、塩化銀である請求項３に記載の皮膚治療デバイス（１０、３０）。
【請求項５】
前記基板（１１、３１、６０）は、可撓性のプラスチック材料を含む、請求項１乃至４のいずれか一項に記載の皮膚治療デバイス（１０、３０）。
【請求項６】
前記基板（１１、３１、６１）は、ＰＥＴフィルムまたはポリウレタン（ＰＵ）フィルムから選択された材料を含む請求項５に記載の皮膚治療デバイス（１０、３０）。
【請求項７】
前記基板は、４０〜８０μｍ、好ましくは４０〜６０μｍ、より好ましくは５０μｍの厚さを有する請求項５または６に記載の皮膚治療デバイス（１０、３０）。
【請求項８】
前記複数の別個のガルバニー対（２１、２２）の前記アノード（２１）および前記カソード（２２）の各々は、前記皮膚治療デバイス（１０、３０）を前記皮膚に連結するように適合された導電性接着材料の層で覆われる請求項１乃至７のいずれか一項に記載の皮膚治療デバイス（１０、３０）。
【請求項９】
前記ガルバニー対（２１、２２）の少なくとも１つの近傍に追加の接着層を備えて、前記別個のガルバニー対の前記少なくとも１つの近傍における前記皮膚治療デバイス（１０、３０）との前記皮膚の接触を改良する請求項８に記載の皮膚治療デバイス（１０、３０）。
【請求項１０】
導電性接着材料の前記層に連結された除去可能な保護フィルムを備え、前記除去可能な保護フィルムは、使用前に前記皮膚治療デバイス（１０、３０）を覆い、保護するように適合される請求項８または９に記載の皮膚治療デバイス（１０、３０）。
【請求項１１】
前記第１の金属および前記第２の金属は、導電性インクを含み、前記導電性インクは、金属層を前記基板上に形成するように適合される請求項１乃至１０のいずれか一項に記載の皮膚治療デバイス（１０、３０）。
【請求項１２】
皮膚治療デバイス（１０、３０）を製造するための方法であって、
基板（１１、３１、６０）を提供するステップと、
複数の別個のガルバニー対（２１、２２）を前記基板上に提供するステップとを含み、各別個のガルバニー対（２１、２２）は、アノード（２１）である第１の導電性電極と、カソード（２２）である第２の導電性電極とを備え、各別個のガルバニー対（２１、２２）の前記アノード（２１）は、第１の金属を含み、各別個のガルバニー対（２１、２２）の前記カソード（２２）は、前記第１の金属とは異なる第２の金属を含み、前記第１の金属および第２の金属は、異なる標準電位を有し、複数の別個のガルバニー対（２１、２２）を提供する前記ステップは、
複数の別個の金属要素（６１、６２、６３、６４）を前記基板（１１、３１、６０）上に提供するステップであって、前記複数の別個の金属要素は、前記第２の金属の層を含む、ステップと、
前記複数の別個の金属要素のうち別個の金属要素（６２、６４）を選択するステップと、
前記第１の金属の層を選択された別個の金属要素上に提供して、前記第２の金属を含む底部層および前記第１の金属を含む上部層の組立体を有するアノード（２１）と、前記第２の金属を含む層を有するカソード（２２）とを備える、少なくとも１つの別個のガルバニー対（２１、２２）を形成するステップと
を含む、方法。
【請求項１３】
複数の別個の金属要素を前記基板（１１、３１、６０）上に提供する前記ステップは、
前記第２の金属を含む導電性インクを選択するステップと、
前記第２の金属を含む前記選択された導電性インクを前記基板（１１、３１、６０）上に印刷するステップと
を含む請求項１２に記載の方法。
【請求項１４】
前記第１の金属の層を選択された別個の金属要素（６１、６２、６３、６４）上に提供する前記ステップは、
前記第１の金属を含む導電性インクを選択するステップと、
前記第１の金属を含む前記選択された導電性インクを前記少なくとも１つの選択された別個の金属要素上に印刷するステップと
を含む請求項１２に記載の方法。
【請求項１５】
導電性接着材料の層を前記複数の別個のガルバニー対の前記アノード（２１）およびカソード（２２）上に提供するステップを含む請求項１２乃至１４のいずれか一項に記載の方法。
【発明の詳細な説明】
【技術分野】
【０００１】
本発明は、複数のガルバニー対を備える皮膚治療バイスに関する。皮膚治療デバイスは、特に、哺乳類の皮膚を治療するために微弱電流を作り出すように適合された局所的または美容的システムとして使用されるように適合される。
【背景技術】
【０００２】
従来技術では、イオン導入デバイスなどの皮膚治療のためのデバイスにおいてガルバニー対を電源として使用することが知られている。ガルバニー対の使用は、たとえば、特許文献１および特許文献２において開示されている。
【０００３】
ガルバニー対を作り出すように特に適合された材料が、亜鉛ドナー電極および塩化銀対電極を含むことが知られている。そのような組み合わせは、皮膚または導電性流体を使用してシステムと共に完全な回路を形成して電気を発生させるとき、約４０ｍＡの電流を生み出すことができる。
【０００４】
知られているデバイスに関連する欠点は、ガルバニー対によって得られる微弱電流が比較的低いという事実である。したがって、そのような微弱電流に基づく皮膚治療は、効率的には働かない。
【０００５】
約７０〜１００ｍＡ、好ましくは８０〜１００ｍＡの微弱電流を作り出すように適合された局所的または美容的システムを改良する必要があり、それによって美容品の局所的なものは、皮膚の選択された領域においてその微弱電流をもたらすように成形されることが明らかである。
【先行技術文献】
【特許文献】
【０００６】
【特許文献１】米国特許出願公開第２０１２／０１３６４１４号明細書
【特許文献２】国際公開第２００５／００４９８１号パンフレット
【発明の概要】
【課題を解決するための手段】
【０００７】
本発明によれば、局所的または美容的システムは、デバイスの使用時に基板上で互いに連通するように適合された電極を備える複数のガルバニー対を備えるように改良された。ガルバニー対は、基板上に位置決めされ、互いから取り外され、ガルバニー対は可変形状のものである。
【０００８】
基板上の複数のガルバニー対の使用は、治療領域上での複数の陽極および陰極の目的に合わせた制御された分布、したがって治療下の組織に対する目的に合わせた制御された電気分布を可能にする。
【０００９】
本発明の第１の態様によれば、本発明は、基板と、前記基板上に設けられた複数の別個のガルバニー対とを備えるデバイスであって、各別個のガルバニー対は、アノードである第１の導電性電極と、カソードである第２の導電性電極とを備え、各ガルバニー対のアノードは、第１の金属を含み、各別個のガルバニー対のカソードは、第１の金属とは異なる第２の金属を含み、第１の金属および第２の金属は異なる標準電位を有する、デバイスにおいて、少なくとも１つの別個のガルバニー対は、前記基板に連結された底部層であって、前記第２の金属を含む、底部層と、前記底部層に連結された上部層であって、前記第１の金属を含む、前記上部層との組立体を有するアノードを備えることを特徴とする、デバイスを提供する。
【００１０】
本出願者は、驚くべきことに、第２の金属を含むカソードと、導電性底部層および第１の金属を含む上部層の組立体を有するアノードとを備えたガルバニー対を使用することによって、異なる標準電位を有する第１の金属および第２の金属が、約７０〜１００ｍＡの微弱電流の発生を可能にすることに気付いた。
【００１１】
本発明によれば、上部層は、底部層の表面積より大きい表面積を有して前記底部層を完全に覆い、取り囲む。
本発明によれば、第１の金属は、亜鉛を含み、第２の金属はハロゲン化銀を含む。
本発明によれば、第２の金属は、塩化銀である。
本発明によれば、基板は、可撓性プラスチック材料を含む。
本発明によれば、基板は、ＰＥＴフィルムまたはポリウレタン（ＰＵ）フィルムから選択された材料を含む。
本発明によれば、基板は、４０〜８０μｍ、好ましくは４０〜６０μｍ、より好ましくは５０μｍの厚さを有する。
本発明によれば、前記複数の別個のガルバニー対のアノードおよびカソードの各々は、皮膚治療デバイスを皮膚に連結するように適合された導電性接着材料の層によって覆われる。
本発明によれば、皮膚治療デバイスは、ガルバニー対の少なくとも１つの近傍に追加の接着層を備えて、別個のガルバニー対の前記少なくとも１つの近傍における皮膚治療デバイスとの皮膚の接触を改良する。
本発明によれば、皮膚治療デバイスは、導電性接着材料の層に連結された除去可能な保護フィルムを備え、除去可能な保護フィルムは、使用前に皮膚治療デバイスを覆い、保護するように適合される。
本発明によれば、第１の金属および第２の金属は、導電性インクを含み、前記導電性インクは、金属層を基板上に形成するように適合される。
【００１２】
本発明の第２の態様によれば、本発明は、皮膚治療デバイスを製造するための方法であって、
−基板を提供するステップと、
−複数の別個のガルバニー対を前記基板上に提供するステップとを含み、各別個のガルバニー対は、アノードである第１の導電性電極と、カソードである第２の導電性電極とを備え、各別個のガルバニー対のアノードは、第１の金属を含み、各別個のガルバニー対のカソードは、第１の金属とは異なる第２の金属を含み、第１の金属および第２の金属は、異なる標準電位を有し、複数の別個のガルバニー対を提供するステップは、
−複数の別個の金属要素を基板上に提供するステップであって、前記複数の別個の金属要素は、前記第２の金属の層を含む、ステップと、
−複数の別個の金属要素のうち別個の金属要素を選択するステップと、
−前記第１の金属の層を選択された別個の要素上に提供して、前記第２の金属を含む底部層および前記第１の金属を含む上部層の組立体を有するアノードと、前記第２の金属を含む層を有するカソードとを備える少なくとも１つの別個のガルバニー対を形成するステップと
を含む、方法に関する。
【００１３】
本発明によれば、複数の別個の金属要素を基板上に提供するステップは、
−前記第２の金属を含む導電性インクを選択するステップと、
−前記第２の金属を含む前記選択された導電性インクを前記基板上に印刷するステップと
を含む。
【００１４】
本発明によれば、前記第１の金属の層を選択された別個の金属要素上に提供する前記ステップは、
−前記第１の金属を含む導電性インクを選択するステップと、
−前記第１の金属を含む前記選択された導電性インクを前記少なくとも１つの別個の選択された金属要素上に印刷するステップと
を含む。
【００１５】
本発明によれば、方法は、
−導電性接着材料の層を前記複数の別個のガルバニー対の前記アノードおよびカソード上に提供するステップを含む。
【図面の簡単な説明】
【００１６】
本発明の特徴および利点は、図を参照することによって、本発明の例示的な実施形態の詳細な説明から明らかであろう。
【図１】本発明の第１の実施形態による皮膚治療デバイスを示す図である。
【図２】本発明の第２の実施形態による皮膚治療デバイスを示す図である。
【図３】図１または図２による皮膚治療デバイスのガルバニー対の断面図である。
【図４】製造のステップにおけるガルバニー対を示す図であり、このガルバニー対は、図１または図２による皮膚治療デバイスに適合される。
【図５】製造の別のステップにおけるガルバニー対を示す図であり、このガルバニー対は、図１または図２による皮膚治療デバイスに適合される。
【図６】製造の別のステップにおけるガルバニー対を示す図であり、このガルバニー対は、図１または図２による皮膚治療デバイスに適合される。
【図７】製造の別のステップにおけるガルバニー対を示す図であり、このガルバニー対は、図１または図２による皮膚治療デバイスに適合される。
【発明を実施するための形態】
【００１７】
本発明は、添付の図を参照して以下でより詳細に説明される。本発明の実施形態の説明は、単なる例示として解釈されなければならないことに留意されたい。
本発明の説明のために、本明細書において使用するすべての技術的および科学的用語は、当業者によって一般的に理解されるのと同じ意味を有する。
本発明は、人の皮膚などの皮膚の治療に関して本明細書において説明される。皮膚という用語は、皮膚または目、口、頬側、鼻、膣、胃腸、もしくは直腸の粘膜を含む、任意の人または動物の障壁膜を参照することに留意されたい。
【００１８】
皮膚の治療のためのデバイスを参照する。用語「デバイス」は、皮膚の治療のために使用される装置をそれ自体としてまたは完成しパッケージ化された形態で含むことを意味する。デバイスは、ユーザがデバイスを人の皮膚にあてることを導くマニュアルまたは説明書を含むことができる。そのような説明書はデバイス上に印刷されてよく、または任意の追加のパッケージ要素上で利用可能であってよい。
デバイスは、詳細には、皮膚への電気の伝達を使用することによって皮膚を治療し、それによって電気が伝達された組織の所望の生体応答を誘発するように適合される。
【００１９】
本デバイスは、複数の別個のガルバニー対を備える基板を備え、各ガルバニー対は、アノードである第１の導電性電極と、カソードである第２の導電性電極とを備える。本明細書では、電気の発生は、自由電子が第１の導電性電極と第２の導電性電極との間で、デバイスを取り付けた皮膚を通り抜けることができることを意味する。
１つの実施形態では、本発明による皮膚治療デバイスは、皮膚に直接押しつけて置くことができる皮膚治療パッチである。
ガルバニー対を提供する材料の例は、それだけに限定されないが、亜鉛銀、酸化亜鉛銀、ハロゲン化亜鉛銀、塩化亜鉛銀、臭化亜鉛銀、ヨウ化亜鉛銀、およびフッ化亜鉛銀を含む。
【００２０】
導電性電極は、当技術分野で知られている任意の適合された蒸着技術によって基板に施与され得る。たとえば、第１の導電性電極および第２の導電性電極の片方または両方は、金属シート片、ワイヤもしくはメッシュ、または金属コーティングされた布、または金属、およびその酸化物、ハロゲン化物、および硫化物でコーティングされた布などの他の材料であってよい。
あるいは、第１の導電性電極および第２の導電性電極は、化学蒸着のための無電解めっきおよび当技術において知られている電気化学蒸着のための電気めっきなどの化学的または電気化学的蒸着を使用することによって基板上に蒸着されてよい。第１の導電性電極および第２の導電性電極は、スクリーン印刷、噴霧コーティング、グラビア印刷、レーザジェット印刷、パッド印刷、針印刷、浸し塗り、真空蒸着、または他の印刷または転写プロセスなどの物理的蒸着によって基板上に蒸着されてもよい。
【００２１】
本発明の好ましい実施形態によれば、導電性電極は、ガルバニー材料を、材料を蒸着するプロセス特有のインク、たとえばスクリーン印刷のためのスクリーン印刷インクまたはレーザジェット印刷のためのレーザジェット印刷インクに調剤することによって作り出されてよく、溶媒、結合剤、または可塑剤などの成分を含むことができる。これらの調剤が乾燥時に薬学的に許容されるように注意を払わなければならない。これは、すべての不揮発性成分が、皮膚または任意の他の障壁膜との接触に安全でなければならないことを意味する。
そのようなインク内に使用される結合剤は、水溶性および水不溶性のものを含むことができる。薬学的に許容される結合剤の例は、それだけ限定されないが、ポリエチレン、ポリプロピレン、ポリ塩化ビニル、ポリスチレン、アクリロニトリルブタジエンスチレン、ポリエチレンテレフタレート、およびポリウレタンを含む。
【００２２】
本発明による皮膚治療デバイスに使用されるガルバニー対のサイズは、デバイスの特有の用途に依存し得る。皮膚治療デバイスの美容的用途に適合される１つの実施形態では、ガルバニー対は、通常、約４ｃｍ2を超えない表面積を占有する。たとえば人の顔で使用されるように適合させるために、ガルバニー対を形成する金属要素は、通常、正方形以外の形態を有する。この形状は、楕円の形態、またはデバイスがあてられる皮膚の特有の表面積に嵌合する他の形態を有することができる。
別の実施形態では、各ガルバニー対は、約２ｃｍ2を超えない、たとえば１ｃｍ2を超えない面積を専有する。各ガルバニー対の全体寸法は、約０．０１ｃｍ2から約１０ｃｍ2まで可変であってよい。
疼痛の治療に特有に適合されたさらに別の実施形態では、導電性電極によって占有される表面積は、１０〜２００ｃｍ2の領域に入るようにより大きくなることができる。
【００２３】
ガルバニー対は、これらが互いから別個である、すなわち個々のガルバニー対が連結解除され、互いに接触しない限り、数多くの方法で配置されてよい。ガルバニー対は、電気密度を増加または低下させるために所望に応じて配置され得る。
ガルバニー対は、デバイスの意図する使用に適合させるように基板上に配置され得る。単一のガルバニー対または複数のガルバニー対を使用することが可能である。
実際には、ガルバニー対は、基板の表面積上に分布されて、目的に合わせた複数の陽極および陰極の分布を治療領域上に得る。各ガルバニー対は、隣接するガルバニー対から独立して作用するため、各個々の対は、そのガルバニー対の直近で皮膚を治療する。これは、基板上で、生み出される電気のレベルを制御するようにガルバニー対のサイズを適合させ、選択することができることを意味する。
【００２４】
本発明による皮膚治療デバイスは、ガルバニー対がその上に固定される基板を備える。この基板は、さまざまな形状およびサイズになるように製作して皮膚のさまざまな解剖学的表面または他の障壁膜の輪郭に適合させることができる。たとえば、基板は、人の顔の大きい表面積を覆うように適合された形状および形態を有することができる。これは、基板が、少なくとも目および口を露出させる開口部を備えたフェイシャルマスクの形状を有することを意味する。皮膚治療デバイスはまた、各々が顔の一部だけを覆うように適合された、単一の部分的フェイシャルマスクまたは複数の部分的フェイシャルマスクの形状を有することもできる。
【００２５】
基板は、紙、プラスチック、または不水溶性ポリマー、製織材料（たとえば織布）、および不製織材料（不織布）などの多様な材料から作製され得る。基板は、それだけに限定されないが、包帯およびスポーツ包帯に通常使用される布材料のものなどの、綿または合成の織布および不織布層などの「通気性」材料を含むことができる。基板は、電気伝導性のプラスチック、織布、不織布、または紙などの電気伝導性材料を含むことができる。
好ましい実施形態では、基板は、ＰＥＴフィルムまたはポリウレタンフィルムを含む。
【００２６】
皮膚治療デバイスは、接着ポリマー層などの接着層を含んで、デバイスをユーザの皮膚に押しつけて連結する。この接着層は、ガルバニー対の各々に存在して、ガルバニー対の導電性電極が皮膚と接触することを可能にする。
追加の接着材料を、特にガルバニー対に隣接して基板に提供して、人の皮膚との接触をさらに改良することが可能である。
【００２７】
本発明による皮膚治療デバイスは、除去可能な解放ライナを備えて、デバイスの使用前に基板を覆い、特に接着材料を覆うことができる。解放ライナは、通常、使用される接着材料に対して弱い接着力を有するポリマーシートまたはポリマーがコーティングされた紙もしくは布であり、それによってこれを使用前に皮膚治療デバイスに損傷を与えることなく容易に除去することを可能にする。解放ライナに通常使用されるポリマーの例は、シリコーンおよびポリエチレンである。
接着剤の使用に加えて、またはその代わりに、皮膚治療デバイスは、接着テープ、弾性バンドまたは任意の他の適合された材料によって皮膚に締結され得る。任意選択により、本発明による皮膚治療デバイスは、フェイシャルマスクと共に使用することができ、皮膚治療デバイスは、一方側のユーザの皮膚と他方側のフェイシャルマスクの内部との間に位置決めされる。
【００２８】
本発明による皮膚治療デバイスは、皮膚の状態の治療を容易にする特定の望ましい生体応答を誘発する。これらの望ましい生体応答は、皮膚を通過する電流によって誘発され得る。皮膚の望ましい応答の例は、それだけに限定されないが、コラーゲンを刺激することによる皮膚の活性化、嫌気性微生物成長の抑制、ならびに健康的膜微生物相の確立または血管収縮および強化された組織免疫学的活性、改良された組織修復を含むことができる。
１つの実施形態では、皮膚治療デバイスは、それだけに限定されないが、背痛、関節痛、頸痛、肩痛、皮膚の刺痛またはしびれ、術後疼痛、筋肉痛、筋痙攣、月経痛、関節硬直、頭痛、または胃痛を含むさまざまなタイプの疼痛または他の感覚的不快を解消するか、または低減するために使用される。皮膚以外のより深い組織または器官の疼痛に使用されるとき、ガルバニー対の電極は、たとえば背痛、膝痛、肩痛または頸痛を治療する際に電気刺激をより深く伝達し、体のより大きい領域を覆うためにサイズがより大きいものとなり、さらに離れて離間される。
好ましい実施形態では、皮膚治療デバイスは、皮膚に直接あてることができるブースタパッチとして構成される。
【００２９】
図１では、本発明による皮膚治療デバイス１０の第１の例示的な実施形態が示される。図１による皮膚治療デバイス１０は、フェイシャルマスクとして使用されるように適合されたパッチの形態を有する。皮膚治療デバイス１０のサイズおよび形状は、多種多様なユーザによる皮膚治療デバイス１０の使用を可能にするように適合される。
【００３０】
皮膚治療デバイス１０は、複数のガルバニー対が設けられた基板１１を備える。基板１１は、たとえば、ＰＥＴフィルムまたはポリウレタンフィルムを含む。基板１１の厚さは、５０μｍ程度である。基板１１に合わせて選択された材料およびこの基板１１の厚さの組み合わせは、基板１１がユーザの顔の皮膚などの湾曲した表面と連結するように十分に可撓性であることを可能にする。
皮膚治療デバイス１０の基板１１は、第１の開口１２および第２の開口１３を含んで、皮膚治療デバイス１０の使用中にユーザの目が覆われないことを可能にする。基板１１は、第３の開口１４をさらに含んで、皮膚治療デバイスの使用中にユーザの口が覆われることを回避する。
【００３１】
基板１１は、人の鼻の下側部分の形態を有する切断線１５をさらに含む。切断線１５は、ユーザの鼻の底部周りの基板１１の位置決めを可能にする。
基板１１の円周には、いくつかのくぼみ１６が設けられる。これらのくぼみ１６は、基板１１を部分的に折り畳むように適合され、それによって基板１１とユーザの皮膚との接触を改良する。
基板１１には、マーキング１７がさらに設けられる。図１の実施形態によれば、マーキング１７は、点線の形態を有する。これらのマーキング１７は、皮膚治療デバイス１０を顔上に正しく位置決めするためにユーザによって使用され得る。
【００３２】
皮膚治療を可能にするために、皮膚治療デバイス１０は、複数の別個のガルバニー対を備える。各ガルバニー対は、アノードである第１の導電性電極と、カソードである第２の導電性電極とを備える。
【００３３】
図１では、アノードは、カソードより暗い色を有する。ガルバニー対のアノードおよびカソードの各々は、類似の形状およびサイズを有する。明確にするために、皮膚治療デバイス１０のすべてではないガルバニー対が、参照番号によって参照される。参照は、アノード２１およびカソード２２を備える１つのガルバニー対にのみなされる。
【００３４】
図３および図４〜７を参照すると、アノード２１は、基板１１上に固定された導電性底部層の組立体を備える。図１による実施形態では、導電性底部層は、塩化銀を含む。アノード２１は、導電性底部層を覆う金属上部層をさらに備える。図１の例では、上部層は亜鉛を含む。カソード２２は塩化銀の層を含む。
アノード２１およびカソード２２の両方は、導電性接着剤によって覆われて、皮膚治療デバイス１０をユーザの皮膚に連結することを可能にする。
【００３５】
各ガルバニー対のアノードの上部層を形成する第１の金属およびカソードを形成する第２の金属は、異なる標準電位を有するように選択される。使用において、皮膚は、アノードとカソードとの間に導電性をもたらし、それによって微弱電流が皮膚を流れ抜けることを可能にする。第１の金属として亜鉛を使用してアノードを形成し、第２の金属として塩化銀を使用してカソードを形成する場合、約４０ｍＡの微弱電流を生み出すことができる。
驚くべきことに、第１の金属と基板１１との間に導電性底部層を加えることにより、ガルバニー対の効率性が改良される。第１の金属として亜鉛を使用してアノードを形成し、第２の金属として塩化銀を使用してカソードを形成し、それによってアノードの底部層が塩化銀によって形成されるとき、７０〜１００ｍＡの領域内の微弱電流を生み出すことができる。
【００３６】
図２では、本発明による皮膚治療デバイス３０の第２の例示的な実施形態が示される。図２による皮膚治療デバイス３０は、目に隣接する顔の領域を覆うためのマスクとして使用されるように適合されたパッチの形態を有する。皮膚治療デバイス３０のサイズおよび形状は、多種多様なユーザによる皮膚治療デバイス３０の使用を可能にするように適合される。
【００３７】
皮膚治療デバイス３０は、複数のガルバニー対がその上に設けられた基板３１を備える。基板３１は、たとえば、ＰＥＴフィルムまたはポリウレタンフィルムを含む。基板３１の厚さは、５０μｍ程度である。基板１１に合わせて選択された材料およびこの基板３１の厚さの組み合わせは、基板３１がユーザの顔の皮膚などの湾曲した表面と連結するように十分に可撓性であることを可能にする。
皮膚治療デバイス３０の基板３１は、第１の開口３２および第２の開口３３を含んで、皮膚治療デバイス３０の使用中にユーザの目が覆われないことを可能にする。
【００３８】
皮膚治療を可能にするために、皮膚治療デバイス３０は、複数のガルバニー対を備える。各ガルバニー対は、アノードである第１の導電性電極と、カソードである第２の導電性電極とを備える。
【００３９】
図２では、アノードは、カソードより暗い色を有する。ガルバニー対のアノードおよびカソードの各々は、類似の形状およびサイズを有する。明確にするために、すべてではないガルバニー対が、参照番号によって参照される。参照は、アノード４１およびカソード４２を備える１つのガルバニー対にのみなされる。
【００４０】
図３および図４〜７を参照すると、アノード４１は、基板３１上に固定された導電性底部層の組立体を備える。図２による実施形態では、導電性底部層は、塩化銀を含む。アノード４１は、導電性底部層を覆う金属上部層をさらに備える。図１の例では、上部層は亜鉛を含む。カソード４２は塩化銀の層を備える。
【００４１】
図３では、概略的に、本発明による皮膚治療デバイス１０のガルバニー対が断面図で示される。皮膚治療デバイス３０は、同じタイプのガルバニー対を備える。
図３によるガルバニー対は、アノード２１とカソード２２とを備え、そのいずれも基板１１の上部に固定される。アノード２１は、導電性底部層５１を備える。図３の例では、底部層５１は、塩化銀を含む。底部層５１は、基板１１上に固定される。アノード２１は、亜鉛を含む上部層５２をさらに備える。上部層５２は、底部層５１を完全に覆うように形成される。カソード２２は、塩化銀を含む単一の層５３を備える。
【００４２】
アノード２１およびカソード２２の両方は、導電性接着材料を含む層５４によって覆われて、皮膚治療デバイス１０、特にアノード２１およびカソード２２とユーザの皮膚との連結を可能にする。
【００４３】
ガルバニー対２１、２２とユーザの皮膚との連結をさらに改良するために、この導電性接着剤を含む別の接着要素５５を基板１１に加えることができる。追加の要素５５の存在により、ガルバニー対２１、２２と皮膚との間の接触が強化される。
【００４４】
図３に示すように、接着材料は、皮膚治療デバイス１０の使用前に解放可能なライナ５６を用いることによって保護され得る。このライナ５６は、基板１１上の接着層５５および５６による限定された接着を有するように適合される。
【００４５】
図４〜７では、本発明による皮膚治療デバイスを製造するための方法の例示的な実施形態の異なるステップが説明される。
図４では、皮膚治療デバイスの基礎を形成する基板６０が示される。皮膚治療デバイスを製造するための方法の好ましい実施形態によれば、基板６０は、ＰＥＴフィルムまたはポリウレタンフィルムを含むように選択される。
【００４６】
図５に示すように、製造プロセスの第１のステップでは、４つの別個の金属要素６１、６２、６３、６４が基板６０上に固定される。本発明によれば、４つの別個の金属要素６１、６２、６３、６４を基板上に固定するステップは、第２の金属を含む導電性インクを選択するステップを含み、第２の金属は、ガルバニー対のカソードを形成し、導電性インクを基板上に印刷するように適合される。本発明によれば、４つの別個の金属要素６１、６２、６３、６４をスクリーン印刷するための導電性インクは、塩化銀を含み、スクリーン印刷を用いて基板６０上に印刷されるように適合される。
【００４７】
図６に示すように、次のステップにおいて、別個の金属要素６２、６４は、いずれもアノードを形成するように適合された第１の金属によって覆われる。本発明によれば、第１の金属によって別個の金属要素６２、６４を覆うステップは、第１の金属を含む導電性インクを選択するステップを含み、第１の金属は、ガルバニー対のアノードを形成し、導電性インクを基板上に印刷するように適合される。本発明によれば、アノードを形成するように適合された導電性インクは、亜鉛を含み、スクリーン印刷によって別個の金属要素６２、６４上に印刷されるように適合される。形成されたアノード６２’、６４’の各々は、第２の材料を含む底部層と、第１の材料を含む上部層とを備える。
【００４８】
図７では、別のステップが示され、ここでは別個の金属要素６１、６２’、６３、６４’は、接着ポリマー層を使用して覆われる。本発明によれば、このステップは、印刷を使用して施与されるように適合された接着ポリマー材料を選択するステップと、このポリマー接着材料を別個の金属要素６１、６２’、６３、６４’上に印刷するステップとを含む。
【００４９】
図７に示すように、ポリマー接着材料によって別個の金属要素６１、６２’、６３、６４’を覆うステップに加えて、要素６６の形態の別の接着材料が、基板６０に取り付けられる。これらの別の要素６６は、皮膚治療デバイスを使用するときにアノードおよびカソードとユーザの皮膚との接触を改良するために使用される。
【図１】
2019517379.tif 000003
【図２】
2019517379.tif 000004
【図３】
2019517379.tif 000005
【図４】
2019517379.tif 000006
【図５】
2019517379.tif 000007
【図６】
2019517379.tif 000008
【図７】
2019517379.tif 000009
【国際調査報告】
2019517379.tif 000010
2019517379.tif 000011